(57)【要約】【課題】光学的情報読取装置の内部調整をより適切に行うことができ、かつ、その調整作業に必要となる調整用パターンや識別コードの管理や準備を良好に行うことができる調整システムを提供する。【解決手段】調整システム１は、調整用端末２を用いてバーコードリーダ１０の調整を行うシステムとして構成される。調整用端末２は、調整対象となるバーコードリーダ１０から機種情報を取得し、その取得した機種情報に対応した調整用パターンを選択し、モニタ３に表示する。バーコードリーダ１０は、モニタ３に表示される調整用パターンを読み取り、その読取結果に応じて自己の内部調整を行う。さらに、調整用端末２は、調整用パターンを表示した後、機種情報に対応した検査用の情報コードを表示する。バーコードリーダ１０は、調整用パターンに基づいて内部調整を行った後、モニタ３に表示される検査用の情報コードを読み取り、その読取成否を判断する。【選択図】図６
2009025880.tif 000002
【特許請求の範囲】
【請求項１】
光学的情報読取装置と、表示器を備えた調整用端末と、を用いて前記光学的情報読取装置の調整を行う調整システムであって、
前記調整用端末は、
調整対象となる前記光学的情報読取装置から機種情報を取得する機種情報取得手段と、
前記機種情報取得手段にて取得された前記機種情報に基づき、前記光学的情報読取装置の内部調整を行うための調整用パターンを選択し、かつ前記表示器に表示させるパターン表示制御手段と、
前記パターン表示制御手段による前記調整用パターンの表示後に、前記機種情報に対応した検査用の情報コードを前記表示器に表示させるコード表示制御手段と、
を有し、
前記光学的情報読取装置は、
前記情報コード及び前記調整用パターンを読取可能な読取手段と、
前記読取手段による前記調整用パターンの読取結果に応じて当該光学的情報読取装置の内部調整を行う調整手段と、
前記読取手段による前記情報コードの読取成否を判断する判断手段と、
を備え、
前記コード表示制御手段により前記表示器に表示される検査用の前記情報コードを、前記調整手段による前記内部調整後に前記読取手段によって読み取り、かつ前記判断手段が前記読取成否を判断することで、前記内部調整後の前記光学的情報読取装置の診断を行うことを特徴とする光学的情報読取装置の調整システム。
【請求項２】
前記調整用パターンは、黒色パターンと白色パターンとが交互に並んでなるものであり、
前記調整手段は、前記白色パターンを読み取ることで得られる信号レベルと、前記黒色パターンを読み取ることで得られる信号レベルと、に基づいて前記光学的情報読取装置の前記内部調整を行うことを特徴とする請求項１に記載の光学的情報読取装置の調整システム。
【請求項３】
前記光学的情報読取装置は、前記調整手段により前記内部調整がなされた後、前記調整用端末に対し、検査用の前記情報コードを要求する要求信号を送信する要求信号送信手段を備え、
前記調整用端末は、前記要求信号を受信する受信手段を有し、
前記コード表示制御手段は、前記受信手段による前記要求信号の受信に応じて検査用の前記情報コードを表示し、
前記読取手段は、前記要求信号送信手段による前記要求信号の送信後に前記表示器に表示される検査用の前記情報コードを読み取り、
前記判断手段は、前記要求信号の送信後に前記表示器に表示される検査用の前記情報コードの前記読取成否を判断することを特徴とする請求項１又は請求項２に記載の光学的情報読取装置の調整システム。
【請求項４】
前記光学的情報読取装置は、
前記判断手段により検査用の前記情報コードの読み取りが成功と判断された場合に外部に報知を行う成功報知手段と、
前記判断手段により検査用の前記情報コードの読み取りが成功と判断された場合に前記調整用端末に通知する成功後通知手段と、
を備え、
前記調整用端末は、前記成功後通知手段による通知に応じて前記調整用パターン及び検査用の前記情報コードの表示終了処理を行う成功後終了手段を有することを特徴とする請求項１から請求項３のいずれか一項に記載の光学的情報読取装置の調整システム。
【請求項５】
前記光学的情報読取装置は、
前記判断手段により検査用の前記情報コードの読み取りが失敗と判断された場合に失敗回数をカウントするカウント手段と、
前記判断手段により検査用の前記情報コードの読み取りが失敗と判断された場合に、前記カウント手段による前記失敗回数のカウントが一定回数に達していない場合、前記調整用端末に対して前記調整用パターンの再表示を要求する再表示要求手段と、
を有し、
前記調整用端末において、
前記パターン表示制御手段は、前記再表示要求手段による要求に応じて前記調整用パターンを再表示し、
前記コード表示制御手段は、前記調整用パターンの再表示後に検査用の前記情報コードの再表示を行う構成をなしており、
前記光学的情報読取装置において、
前記読取手段は、再表示された前記調整用パターンを読み取り、
前記調整手段は、前記読取手段による再表示の読取結果に基づいて前記光学的情報読取装置の前記内部調整を再度行い、
前記調整手段による再度の前記内部調整後に、再表示された検査用の前記情報コードを前記読取手段により読み取り、かつ前記判断手段により読取成否を再度判断することで、前記光学的情報読取装置の再診断を行うことを特徴とする請求項１から請求項４のいずれか一項に記載の光学的情報読取装置の調整システム。
【請求項６】
前記光学的情報読取装置は、
前記判断手段により検査用の前記情報コードの読み取りが失敗と判断された場合に失敗回数をカウントするカウント手段と、
前記カウント手段による前記失敗回数のカウントが一定回数に達した場合に外部に報知を行う失敗報知手段と、
前記カウント手段による前記失敗回数のカウントが前記一定回数に達した場合に前記調整用端末に通知する失敗後通知手段と、
を備え、
前記調整用端末は、前記失敗後通知手段による通知に応じて前記調整用パターン及び検査用の前記情報コードの表示終了処理を行う失敗後終了手段を有することを特徴とする請求項１から請求項４のいずれか一項に記載の光学的情報読取装置の調整システム。
【発明の詳細な説明】
【技術分野】
【０００１】
本発明は、光学的情報読取装置の調整システムに関するものである。
【背景技術】
【０００２】
バーコードリーダ等の光学的情報読取装置は、照明光源からの照明光を読取対象に照射し、その反射光を受光手段により受光して読み取りを行う構成が一般的であるが、このような光学的情報読取装置では、照明光源の出力や、受光信号を増幅する際のゲインなどを、読み取りを良好に行い得る程度に設定する必要があり、一般的には、製品出荷前にそのような設定を行っている。しかしながら、長期使用等に起因して各種部品が劣化した場合など、それまでの設定が環境に適合しなくなる場合があり、その結果、読み取りが良好に行われなくなるという問題が生じる。このような問題を解決する方法としては、例えば特許文献１のように、内部調整（ゲインの再設定等）を事後的に行う方法が考えられる。
【特許文献１】特開平８−２０２８０４号公報
【発明の開示】
【発明が解決しようとする課題】
【０００３】
ところで、上記のような内部調整を行う方法としては、以下のような例が挙げられる。まず、内部調整用の白黒パターンが付されたパターンシートを予め用意し、そのパターンシートに形成された白黒パターンを調整に係る光学的情報読取装置で読み取る。そして、白パターンによって得られた信号レベルと、黒パターンによって得られた信号レベルとに基づいてゲイン等を再設定し、その再設定後の光学的情報読取装置によって実際の読取対象（検査用のバーコード等）を読み取る。この方法によれば、調整時の環境を適切に反映した再設定がなされたか否かを検査できる。
【０００４】
上記方法の場合、調整に際して紙媒体からなるパターンシートを予め準備する必要があるが、このパターンシートは、傷や汚れ等が生じないように管理されることが望ましく、また読み取りを行う機種に応じた適正なパターンシートが用意されることが望ましい。このようなパターンシートの管理や準備は、検査を手間取らせる一因となっている。
また、再設定後の光学的情報読取装置の検査を行う場合、パターンシートに代えて検査用の識別コードを別途用意する必要があるが、この検査用の識別コードも読み取りを行う機種に対応したものであることが望ましく、このような検査用の識別コードの管理や準備も煩わしさを伴うものであった。
【０００５】
本発明は、上述した課題を解決するためになされたものであり、光学的情報読取装置の内部調整をより適切に行うことができ、かつ、その調整作業に必要となる調整用パターンや識別コードの管理や準備を良好に行うことができる調整システムを提供することを目的とする。
【課題を解決するための手段】
【０００６】
上記目的を達成するため、請求項１の発明は、光学的情報読取装置と、表示器を備えた調整用端末と、を用いて前記光学的情報読取装置の調整を行う調整システムであって、前記調整用端末は、調整対象となる前記光学的情報読取装置から機種情報を取得する機種情報取得手段と、前記機種情報取得手段にて取得された前記機種情報に基づき、前記光学的情報読取装置の内部調整を行うための調整用パターンを選択し、かつ前記表示器に表示させるパターン表示制御手段と、前記パターン表示制御手段による前記調整用パターンの表示後に、前記機種情報に対応した検査用の情報コードを前記表示器に表示させるコード表示制御手段と、を有し、前記光学的情報読取装置は、前記情報コード及び前記調整用パターンを読取可能な読取手段と、前記読取手段による前記調整用パターンの読取結果に応じて当該光学的情報読取装置の内部調整を行う調整手段と、前記読取手段による前記情報コードの読取成否を判断する判断手段と、を備え、前記コード表示制御手段により前記表示器に表示される検査用の前記情報コードを、前記調整手段による前記内部調整後に前記読取手段によって読み取り、かつ前記判断手段が前記読取成否を判断することで、前記内部調整後の前記光学的情報読取装置の診断を行うことを特徴とする。
【０００７】
請求項２の発明は、請求項１に記載の光学的情報読取装置の調整システムにおいて、前記調整用パターンは、黒色パターンと白色パターンとが交互に並んでなるものであり、前記調整手段は、前記白色パターンを読み取ることで得られる信号レベルと、前記黒色パターンを読み取ることで得られる信号レベルと、に基づいて前記光学的情報読取装置の前記内部調整を行うことを特徴とする。
【０００８】
請求項３の発明は、請求項１又は請求項２に記載の光学的情報読取装置の調整システムにおいて、前記光学的情報読取装置は、前記調整手段により前記内部調整がなされた後、前記調整用端末に対し、検査用の前記情報コードを要求する要求信号を送信する要求信号送信手段を備え、前記調整用端末は、前記要求信号を受信する受信手段を有し、前記コード表示制御手段は、前記受信手段による前記要求信号の受信に応じて検査用の前記情報コードを表示し、前記読取手段は、前記要求信号送信手段による前記要求信号の送信後に前記表示器に表示される検査用の前記情報コードを読み取り、前記判断手段は、前記要求信号の送信後に前記表示器に表示される検査用の前記情報コードの前記読取成否を判断することを特徴とする。
【０００９】
請求項４の発明は、請求項１から請求項３のいずれか一項に記載の光学的情報読取装置の調整システムにおいて、前記光学的情報読取装置は、前記判断手段により検査用の前記情報コードの読み取りが成功と判断された場合に外部に報知を行う成功報知手段と、前記判断手段により検査用の前記情報コードの読み取りが成功と判断された場合に前記調整用端末に通知する成功後通知手段と、を備え、前記調整用端末は、前記成功後通知手段による通知に応じて前記調整用パターン及び検査用の前記情報コードの表示終了処理を行う成功後終了手段を有することを特徴とする。
【００１０】
請求項５の発明は、請求項１から請求項４のいずれか一項に記載の光学的情報読取装置の調整システムにおいて、前記光学的情報読取装置は、前記判断手段により検査用の前記情報コードの読み取りが失敗と判断された場合に失敗回数をカウントするカウント手段と、前記判断手段により検査用の前記情報コードの読み取りが失敗と判断された場合に、前記カウント手段による前記失敗回数のカウントが一定回数に達していない場合、前記調整用端末に対して前記調整用パターンの再表示を要求する再表示要求手段と、を有し、前記調整用端末において、前記パターン表示制御手段は、前記再表示要求手段による要求に応じて前記調整用パターンを再表示し、前記コード表示制御手段は、前記調整用パターンの再表示後に検査用の前記情報コードの再表示を行う構成をなしており、前記光学的情報読取装置において、前記読取手段は、再表示された前記調整用パターンを読み取り、前記調整手段は、前記読取手段による再表示の読取結果に基づいて前記光学的情報読取装置の前記内部調整を再度行い、前記調整手段による再度の前記内部調整後に、再表示された検査用の前記情報コードを前記読取手段により読み取り、かつ前記判断手段により読取成否を再度判断することで、前記光学的情報読取装置の再診断を行うことを特徴とする。
【００１１】
請求項６の発明は、請求項１から請求項４のいずれか一項に記載の光学的情報読取装置の調整システムにおいて、前記光学的情報読取装置は、前記判断手段により検査用の前記情報コードの読み取りが失敗と判断された場合に失敗回数をカウントするカウント手段と、前記カウント手段による前記失敗回数のカウントが一定回数に達した場合に外部に報知を行う失敗報知手段と、前記カウント手段による前記失敗回数のカウントが前記一定回数に達した場合に前記調整用端末に通知する失敗後通知手段と、を備え、前記調整用端末は、前記失敗後通知手段による通知に応じて前記調整用パターン及び検査用の前記情報コードの表示終了処理を行う失敗後終了手段を有することを特徴とする。
【発明の効果】
【００１２】
請求項１の発明では、調整用端末が調整対象の光学的情報読取装置から機種情報を取得し、その機種情報に基づいて調整に係る光学的情報読取装置の内部調整を行うための調整用パターンを選択し、かつ表示器に表示させている。従って、調整に係る機種に適した調整用パターンを迅速かつ容易に準備できるようになり、かつそのような調整用パターンの管理の手間も大幅に省略できる。また、光学的情報読取装置側では、調整用パターンの読取結果に応じて内部調整を行う調整手段が設けられているため、機種に適した調整パターンに基づいて内部調整がより適切に行われることとなる。さらに、調整用端末が、機種情報に対応した検査用の情報コードを表示器に表示させる構成となっており、内部調整後の検査を機種に対応した識別コードに基づいて良好に行うことができる。
【００１３】
請求項２の発明では、調整用パターンが、黒色パターンと白色パターンとが交互に並んでなり、白色パターンを読み取ることで得られる信号レベルと、黒色パターンを読み取ることで得られる信号レベルと、に基づいて内部調整が行われるため、調整時の黒色部分の読取結果と白色部分の読取結果とを反映して、現況に応じた適切な内部調整が可能となる。
【００１４】
請求項３の発明では、内部調整がなされた後、光学的情報読取装置から調整用端末に対し、検査用の情報コードを要求する要求信号が送信され、調整用端末は、要求信号の受信に応じて検査用の情報コードを表示する構成とされている。この構成によれば、内部調整終了後、複雑な作業を伴うことなく迅速かつスムーズに検査に移行でき、調整作業の迅速化、省力化を一層図ることができる。
【００１５】
請求項４の発明では、検査用の情報コードの読み取りが成功と判断された場合に外部への報知がなされるため、作業者が読み取りの成否を簡単に確認できる。また、検査用の情報コードの読み取りが成功と判断された場合、光学的情報読取装置から調整用端末に通知がなされ、調整用端末側では、その通知に応じて表示終了処理が行われる。従って、検査が成功した場合の終了処理が複雑な作業を要することなく迅速かつスムーズに行われ、作業者は検査後の他作業に即座に移行できることとなる。
【００１６】
請求項５の発明では、検査用の情報コードの読み取りが失敗と判断された場合に失敗回数をカウントし、その失敗回数のカウントが一定回数に達していない場合、光学的情報読取装置から調整用端末に対して調整用パターンの再表示を要求し、他方の調整用端末は、要求に応じて調整用パターンを再表示する構成とされている。この構成によれば、検査用の情報コードの読み取りが失敗となった場合に、複雑な作業を伴うことなく再度の内部調整を迅速かつスムーズに行うことができる。また、調整用端末では、調整用パターンの再表示後に検査用の情報コードの再表示がなされ、光学的情報読取装置は、再表示された調整用パターンに基づいて内部調整を再度行った後、再表示された検査用の情報コードを読み取って再診断を行う構成とされている。従って、再度の内部調整がなされた後、その検査も迅速かつスムーズに行われる。このように、失敗に対する対処を迅速かつ適切に行い得る優れたシステムとなる。
【００１７】
請求項６の発明では、検査用の情報コードの読み取りが失敗と判断された場合に失敗回数がカウントされ、そのカウントが一定回数に達した場合に外部への報知がなされるため、作業者が読み取りの失敗を簡単に確認できるようになる。また、失敗回数のカウントが一定回数に達した場合には光学的情報読取装置から調整用端末に通知がなされ、調整用端末側では、その通知に応じて表示終了処理が行われる。このように、検査が一定回数失敗した場合に迅速かつスムーズに終了処理がなされるため、失敗が延々と繰り返されることがなく、作業者は原因追及等の他作業に即座に移行できる。
【発明を実施するための最良の形態】
【００１８】
[第１実施形態]
以下、本発明の調整システムを具現化した第１実施形態について、図面を参照して説明する。
図１は、本発明の第１実施形態に係る調整システムを概略的に例示する概略図である。図２は、図１の調整システムに用いる光学的情報読取装置の電気的構成を例示するブロック図である。図３は、図１の調整システムに用いる調整用端末の電気的構成を例示するブロック図である。また、図４は、表示器に表示された調整用パターンを光学的情報読取装置によって読み取る様子を説明する説明図である。図５は、表示器に表示された検査用の識別コードを光学的情報読取装置によって読み取る様子を説明する説明図である。図６は、光学的情報読取装置の調整及び検査の流れを例示するフローチャートである。
【００１９】
図１に示すように、調整システム１は、「光学的情報読取装置」の一例に相当するバーコードリーダ１０と、調整用端末２とを備えており、調整用端末２を用いてバーコードリーダ１０の調整を行うシステムとして構成されている。まず、バーコードリーダ１０の構成について説明する。
バーコードリーダ１０は、ケース１１の内部に回路部２０（図２）が収容されてなるものであり、ケース１１には後述する照明光や反射光を導通させるための読取口１５が形成されている。ケース１１は、例えば全体的に略長手状に構成されており、図１の例では長手方向一端側において開口する形態で読取口１５が設けられている。
【００２０】
図２に示すように、回路部２０は、主に、照明光源２１、受光センサ２８、結像レンズ２７等の光学系と、メモリ３５、制御回路４０、トリガースイッチ５０等のマイクロコンピュータ（以下「マイコン」という）系と、から構成されており、図示しないプリント配線板に実装あるいはケース１１（図１）に装着されている。
【００２１】
光学系は、投光光学系と、受光光学系とに分かれている。投光光学系を構成する照明光源２１は、照明光Ｌｆを発光可能な照明光源として機能するもので、例えば、赤色のＬＥＤ（図示略）とこのＬＥＤの出射側に設けられる図示しないレンズとから構成されている。なお、図２は、バーコードリーダ１０の使用時の様子を概略的に例示しており、使用時には、バーコードＢが付された読取対象物Ｒに向けて照明光Ｌｆを照射するように構成されている。
【００２２】
受光光学系は、受光センサ２８、結像レンズ２７、及び図示しない反射鏡によって構成されている。受光センサ２８は、読取対象物ＲやバーコードＢに照射されて反射した反射光Ｌｒを受光可能に構成されるものである。この受光センサ２８は、結像レンズ２７を介して入射する入射光を受光可能にプリント配線板（図示略）に実装されている。なお、本実施形態では受光センサ２８及び制御回路４０が「読取手段」の一例に相当し、後述する「情報コード」や「調整用パターン」を読み取るように機能する。
【００２３】
結像レンズ２７は、外部から読取口１５（図１）を介して入射する入射光を集光して受光センサ２８の受光面２８ａに像を結像可能な結像光学系として機能するものである。本実施形態では、照明光源２１から照射された照明光Ｌｆが、バーコードＢにて反射した後、この反射光Ｌｒが直接或いは図示しない反射鏡を介して結像レンズ２７で集光され、受光センサ２８の受光面２８ａにコード像を結像させている。
【００２４】
次に、マイコン系の構成概要を説明する。マイコン系は、増幅回路３１、Ａ／Ｄ変換回路３３、メモリ３５、アドレス発生回路３６、同期信号発生回路３８、制御回路４０、トリガースイッチ５０、ＬＥＤ４５、ブザー４４、液晶表示器４６、通信手段４８等から構成されている。
【００２５】
光学系の受光センサ２８から出力される画像信号（アナログ信号）は、増幅回路３１に入力されることで所定ゲインで増幅された後、Ａ／Ｄ変換回路３３に入力されると、アナログ信号からディジタル信号に変換される。そして、ディジタル化された画像信号、つまり画像データ（画像情報）は、メモリ３５に入力されると、所定のコード像画像情報格納領域に蓄積される。なお、同期信号発生回路３８は、受光センサ２８およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００２６】
制御回路４０は、バーコードリーダ１０全体を制御可能なマイコンで、ＣＰＵ、システムバス、入出力インタフェース等からなるもので、メモリ３５とともに情報処理装置を構成し得るもので情報処理機能を有する。この制御回路４０は、内蔵された入出力インタフェースを介して種々の入出力装置（周辺装置）と接続可能に構成されており、本実施形態の場合、トリガースイッチ５０、ＬＥＤ４５、ブザー４４、液晶表示器４６、通信インタフェース４８等と接続されている。制御回路４０は、トリガースイッチ５０の監視や管理、ＬＥＤ４５の点灯や消灯、ブザー４４の鳴動のオンオフ、液晶表示器４６の表示などを制御する構成をなし、更には通信手段４８を介して外部機器と情報通信を行いうる構成となっている。
【００２７】
また、図３に示すように、調整用端末２は、ＣＰＵ４を備えた情報処理装置として構成されており、ＣＰＵ４に加え、液晶表示器からなるモニタ３（モニタ３は、「表示器」の一例に相当する）や、ＲＯＭ５、ハードディスクドライブ（以下ＨＤＤともいう）７、ＲＡＭ８などからなる記憶手段などを有している。また、キーボード、タッチパネル、各種ボタンなどからなる操作手段９を備え、さらには、外部機器との通信を行う通信手段６を有している。ＣＰＵ４は、この通信手段６を介して外部機器と情報通信し得る構成となっている。なお、本実施形態では調整用端末２の通信手段６とバーコードリーダ１０の通信手段４８とが無線通信可能な公知の無線通信手段として構成されており、互いに無線通信し得る構成となっている。
【００２８】
次に、バーコードリーダ１０の調整及び検査について説明する。まず、調整、検査の概要を述べる。
上述したように、本実施形態に係る調整システム１では、調整用端末２とバーコードリーダ１０とが相互に情報通信可能に構成されており、調整用端末２は、調整対象となるバーコードリーダ１０から機種情報を取得し、その取得された機種情報に基づき、バーコードリーダ１０の内部調整を行うための調整用パターンを選択する構成をなしている。さらに、その選択された調整用パターンを図４のようにモニタ３に表示させ、バーコードリーダ１０に対し、当該バーコードリーダ１０の機種に対応した調整用パターンを提供する。なお、ＣＰＵ４は、「機種情報取得手段」、「パターン表示制御手段」の一例に相当する。
【００２９】
一方、バーコードリーダ１０は、図４に示すように調整用端末２のモニタ３に表示された調整用パターンを読み取り、その調整用パターンの読取結果に応じて自己の内部調整を行う。本実施形態では、制御回路４０が、調整用パターンの読取結果に応じて当該バーコードリーダ１０の内部調整を行う「調整手段」の一例に相当する。
【００３０】
さらに、調整用端末２は、調整用パターンの表示後に、機種情報に対応した検査用のバーコードＣ１（検査用のバーコードＣ１は、「検査用の情報コード」の一例に相当する）を図５のようにモニタ３に表示させる。本実施形態では、ＣＰＵ４がこのような機能を実現する「コード表示制御手段」の一例に相当する。
【００３１】
そして、バーコードリーダ１０は、図５のようにその検査用のバーコードＣ１を読み取り、バーコードＣ１の読取成否を判断する。本実施形態では、制御回路４０が、検査用のバーコードＣ１の読取成否を判断する「判断手段」の一例に相当する。
【００３２】
このようにして調整用端末２のモニタ３に表示される検査用のバーコードＣ１を、内部調整後のバーコードリーダ１０によって読み取り、かつ読取成否を判断することで、内部調整後のバーコードリーダ１０の診断を行うようにしている。
【００３３】
次に、バーコードリーダ１０の調整及び検査の流れを図６等を参照して具体的に説明する。図６では、バーコードリーダ１０（以下、ＢＨＴとも称する）側の調整・検査処理と、調整用端末２側の調整・検査処理とを関連付けて示している。
図６のＳ１０〜Ｓ１５０に示すバーコードリーダ１０側の調整・検査処理は、バーコードリーダ１０において所定の開始操作(診断・調整処理へ移行させるための操作）がなされることで実行され、処理開始後には、まず、Ｓ１０にて調整用端末２との通信処理がなされる。Ｓ１０の通信処理は、調整用端末２に対して処理開始に伴う所定の開始情報を送信すると共に、調整用端末２から所定の返信情報を受け取る処理であり、当該通信処理により双方が通信可能状態であることが確認される。Ｓ１０の通信処理の後には、通信接続が完了したか否かを判断する（Ｓ２０）。このＳ２０の処理は、Ｓ１０の通信処理が正常になされ、双方の接続が完了しているか否かを判断する処理であり、バーコードリーダ１０が調整用端末２から返信情報を正常に受け取っていない場合等、通信接続が完了していない場合にはＳ２０にてＮｏに進み、Ｓ１０の通信処理が続行される。一方、通信接続が完了した場合にはＳ２０にてＹｅｓに進む。
【００３４】
一方、図６のＳ２００〜Ｓ３００に示す調整用端末２側の調整・検査処理は、調整用端末２側での所定の開始操作、或いはバーコードリーダ１０からの指令などをトリガとして開始される。調整用端末２側で調整・検査処理が開始されると、Ｓ２００にてバーコードリーダ１０との通信処理を行う。Ｓ２００の通信処理は、バーコードリーダ１０から上述の開始情報を取得し、かつ上述の返信情報を送信する処理である。なお、本実施形態では、バーコードリーダ１０から開始情報と共にバーコードリーダ１０の機種情報も送られる構成となっており、調整用端末２側ではバーコードリーダ１０の機種情報が取得されることとなる。その後、Ｓ２１０にて通信接続の完了を判断する。バーコードリーダ１０からの開始情報を取得していない等、通信接続が完了していない場合にはＳ２１０にてＮｏに進み、Ｓ２００の通信処理が続行される。一方、通信接続が完了している場合には、Ｓ２１０にてＹｅｓに進む。このようにして、バーコードリーダ１０と調整用端末２との通信接続の確認がなされる。
【００３５】
バーコードリーダ１０側では、Ｓ２０の処理の後、失敗回数の初期化がなされる（Ｓ３０）。失敗回数は、後述するカウント処理（Ｓ１１０）によってカウントされ、ＲＡＭ８（図３）等の記憶手段に記憶されるものであり、この初期化処理では、記憶されている失敗回数を０にリセットする。その後、調整用パターンの表示要求処理を行う（Ｓ４０）。この表示要求処理は、調整用端末２に対して調整用パターンの表示を要求するコマンドを送信する処理であり、調整用端末２では、このコマンドの取得に応じて調整用パターンをモニタ３（図３）に表示する処理を行う。具体的には、Ｓ２１０にて通信接続の完了が判断された後、Ｓ２２０にて調整用パターンの表示要求がなされたか否かの判断処理が行われる。調整用パターンの表示要求がなされるまではＳ２２０にてＮｏに進んで待機状態となり、調整用パターンの表示要求がなされた場合にはＳ２２０にてＹｅｓに進んで調整用パターンの画像表示を行う（Ｓ２３０）。調整用端末２では、予めバーコードリーダ１０の機種情報を取得しており、調整用パターンはバーコードリーダ１０の機種に対応したものが選択され、図４のように表示される。例えば、バーコードリーダが機種１である場合には、種類１の調整用パターンが表示され、機種２である場合には種類２の調整用パターンが表示されるといった具合に行われる。
【００３６】
バーコードリーダ１０側では、Ｓ４０の表示要求処理の後、調整用端末２のモニタ３に表示される調整用パターンに基づいて調整処理を行う（Ｓ５０）。本実施形態で用いられる調整用パターンは、図４に示すように、黒色パターンと白色パターンとが交互に並んでなるものであり、バーコードリーダ１０では、白色パターンを読み取ることで得られる信号レベルと、黒色パターンを読み取ることで得られる信号レベルと、に基づいて自己の内部調整を行う。
【００３７】
内部調整の方法は様々な例が考えられるが、その一例としては、白色パターンの信号レベルと黒色パターンの信号レベルとに基づいて増幅回路３１の増幅率を設定する方法が挙げられる。具体的には、調整用パターンを読み取ったとき、白色パターンに対応した信号レベルが複数得られるためこの複数の信号レベルの平均値Ｌｈを求め、他方、黒色パターンに対応した信号レベルも複数得られるため、この複数の信号レベルの平均値Ｌｂを求める。そして、各白色パターンに対応した信号レベルの平均値Ｌｈと、各黒色パターンに対応した信号レベルの平均値Ｌｂとの偏差（Ｌｂ−Ｌｈ）を求め、増幅回路３１の増幅率を、偏差（Ｌｂ−Ｌｈ）に基づいて設定すれば、その設定時点での環境を好適に反映した増幅率設定が可能となる。
【００３８】
偏差に基づいて増幅率を設定する方法としては、特開平８−２０２８０４に開示される方法と同様の方法を採ることができる。即ち、増幅率について複数の設定値を予め用意しておくと共に（即ち、増幅率について複数のランクを予め設けておき）、かつ偏差（Ｌｂ−Ｌｈ）の目標となるべき範囲（調整範囲）を予め設けておく。そして、各増幅率に設定した設定ごとに調整用パターンの読み取りをそれぞれ行い、それら複数の増幅率設定の中から、読み取りによって得られた偏差（Ｌｂ−Ｌｈ）が目標となるべき範囲（調整範囲）となる増幅率設定を選択する。
【００３９】
Ｓ５０の調整処理の後には、調整処理が成功したか否かを判断する処理が行われる（Ｓ６０）。Ｓ５０の処理において、適切な増幅率が設定され調整処理が成功に終わった場合には、Ｓ６０にてＹｅｓに進み、調整処理が終了した旨の通知（終了通知）が調整用端末２に対して行われる（Ｓ７０）。調整用端末２では、この終了通知がなされるまでは、Ｓ２４０にてＹｅｓに進み、Ｓ２３０の表示処理が続行される。一方、Ｓ２４０にて終了通知を受け取ったと判断された場合には、Ｓ２４０にてＹｅｓに進み、調整用パターンの表示を終了する（Ｓ２５０）。
【００４０】
バーコードリーダ１０側では、Ｓ７０の処理の後、Ｓ８０にて検査用の情報コードの表示要求処理を行う。この表示要求処理は、調整用端末２に対して検査用の情報コードの表示を要求するコマンドを送信する処理であり、調整用端末２では、このコマンドの取得に応じて検査用の情報コードをモニタ３（図３）に表示する処理を行う。具体的には、Ｓ２５０にて表示終了処理がなされた後、Ｓ２６０にて検査用の情報コードの表示要求がなされたか否かの判断処理が行われる。検査用の情報コードの表示要求がなされるまではＳ２６０にてＮｏに進んで待機状態となり、検査用の情報コードの表示要求がなされた場合にはＳ２６０にてＹｅｓに進んで検査用の情報コードの画像表示を行う（Ｓ２７０）。本実施形態では、調整用端末２において、予めバーコードリーダ１０の機種情報が取得されており、検査用の情報コードとしてバーコードリーダ１０の機種に対応したバーコードが図５のようにモニタ３に表示される。なお、この検査用のバーコードの表示は、バーコードリーダが機種１である場合には、種類Ａの検査用のバーコードが表示され、機種２である場合には種類Ｂの検査用のバーコードが表示されるといった具合に行われる。このように、本実施形態のバーコードリーダ１０では、内部調整がなされた後、調整用端末２に対し、検査用の情報コードを要求する処理を行っており、制御回路４０が要求信号（本実施形態では表示を要求するコマンド）を送信する「要求信号送信手段」の一例に相当している。また、調整用端末２は、要求信号を受信し、要求信号の受信に応じて検査用の情報コードを表示している。本実施形態では、ＣＰＵ４が「受信手段」の一例に相当している。
【００４１】
バーコードリーダ１０側では、Ｓ８０の表示要求処理の後、調整用端末２のモニタ３に表示される検査用の情報コード（バーコード）に基づいて検査処理を行う（Ｓ９０）。この検査処理は、図５に示す検査用の情報コードを読み取り、かつ正常に読み取ることができたかを確認する処理である。Ｓ９０の検査処理において、検査用の情報コードを正常に読み取ることができた場合には、Ｓ１００にてＹｅｓに進み、Ｓ１１０の成功報知処理を行う。この成功報知処理は、検査の成功を報知可能な方法であればよく、様々な処理方法が考えられるが、例えば、ブザー４４による発音や、ＬＥＤ４５による点灯などが挙げられる。このように、バーコードリーダ１０は、検査用の情報コードの読み取りが成功と判断された場合に外部に報知を行う構成をなしており、制御回路４０と、ブザー４４やＬＥＤ４５などの報知媒体とが「成功報知手段」の一例として機能している。Ｓ１１０の成功報知処理がなされた後はＳ１６０において検査の終了通知処理が行われる。検査の終了通知処理は、調整用端末２に対して検査が終了した旨の通知情報を与える処理である。
【００４２】
調整用端末２では、Ｓ２７０にて検査用情報コードの表示処理を行った後、Ｓ２８０にて再実行の通知（後述）が行われたか否かを判断し、再実行通知がなされていない場合にはＳ２９０にて検査終了通知が行われたか否かを判断する。上述のように、バーコードリーダ１０から調整用端末２に対して検査が終了した旨の通知情報が与えられた場合、Ｓ２９０にてＹｅｓに進み、検査用情報コードの表示を終了する処理を行う（Ｓ３００）。バーコードリーダ１０から検査が終了した旨の通知情報が与えられていない場合にはＳ２９０にてＮｏに進み、検査用情報コードの表示処理を続行する。このように、本実施形態では、検査用の情報コードの読み取りが成功と判断された場合にバーコードリーダ１０から調整用端末２に通知がなされ、調整用端末２は、その通知に応じて調整用パターン及び検査用の情報コードの表示終了処理（即ち、調整用パターン及び検査用の情報コードのいずれもが表示されない状態とする処理）を行っている。本実施形態では、制御回路４０が「成功後通知手段」の一例に相当しており、ＣＰＵ４が、「成功後終了手段」の一例に相当している。
【００４３】
一方、Ｓ９０の検査処理において異常が発見された場合（例えば、検査用の情報コードが正常に読み取れなかった場合や、検査処理において検査用の情報コードを読み取った内容が正規の内容と異なった場合等）、Ｓ１００にてＮｏに進む。
【００４４】
本実施形態では、Ｓ６０にて調整処理が失敗と判断された場合や、Ｓ１００にて検査処理が失敗と判断された場合、Ｓ１２０に進み、失敗回数のカウント処理が行われるようになっている。次いで、Ｓ１３０にて失敗回数が一定回数に達したか否かを判断し、失敗回数が一定回数に達していない場合にはＳ１３０にてＮｏに進み、調整用端末２に対して調整の再実行を通知する（Ｓ１４０）。
【００４５】
調整用端末２では、調整用パターンの画像表示中に再実行が通知された場合にはＳ２４０にてＮｏに進み続け、Ｓ２３０にて調整用パターンの画像表示が継続される。また、検査用情報コードの画像表示中に再実行が通知された場合には、Ｓ２８０にてＹｅｓに進み、Ｓ２３０に戻って再び調整用パターンを表示し、Ｓ２３０以降の処理が繰り返される。
【００４６】
本実施形態では、検査用の情報コードの読み取りが失敗と判断された場合に失敗回数をカウントしており、制御回路４０が「カウント手段」の一例に相当している。また、検査用の情報コードの読み取りが失敗と判断された場合に、失敗回数のカウントが一定回数に達していない場合には、バーコードリーダ１０から調整用端末２に対して調整用パターンの再表示を要求しており、制御回路４０が、「再表示要求手段」の一例に相当している。
調整用端末２では、その再表示の要求に応じて調整用パターンを再表示し、調整用パターンの再表示後に検査用の情報コードの再表示を行う構成をなしている。一方のバーコードリーダ１０では、再表示された調整用パターンを読み取り、その再表示の読取結果に基づいて自己の内部調整を再度行い、その再度の内部調整後に、再表示された検査用の情報コードを読み取り、かつ読取成否を再度判断することで自己の再診断を行う構成となっている。
【００４７】
また、Ｓ１３０の判断処理において、失敗回数が一定回数に達したと判断された場合には、Ｓ１３０にてＹｅｓに進み、Ｓ１５０にて失敗報知処理を行う。この失敗報知処理は、失敗を報知可能な方法であればよく、様々な処理方法が考えられるが、例えば、ブザー４４による発音や、ＬＥＤ４５による点灯などが挙げられる。失敗報知処理の後は、Ｓ１６０に進み、検査の終了通知処理がなされる。
【００４８】
このように本実施形態に係るバーコードリーダ１０は、失敗回数のカウントが一定回数に達した場合に外部に報知を行っており、制御回路４０と、ブザー４４やＬＥＤ４５などの報知媒体とが「失敗報知手段」の一例として機能している。また、失敗回数のカウントが一定回数に達した場合には、Ｓ１３０にてＹｅｓに進み、かつＳ１５０からＳ１６０へと進んで調整用端末２に通知する処理がなされる。制御回路４０は、このような通知を行う「失敗後通知手段」の一例に相当している。一方の調整用端末２では、その通知に応じて調整用パターン及び検査用の情報コードの表示終了処理（即ち、調整用パターン及び検査用の情報コードのいずれもが表示されない状態とする処理）を行っており、ＣＰＵ４が「失敗後終了手段」の一例に相当している。
【００４９】
以上のように、本実施形態の構成によれば、調整用端末２が調整対象のバーコードリーダ１０から機種情報を取得し、その機種情報に基づいて調整に係るバーコードリーダ１０の内部調整を行うための調整用パターンを選択し、かつモニタ３に表示させている。従って、調整に係る機種に適した調整用パターンを迅速かつ容易に準備できるようになり、かつそのような調整用パターンの管理の手間も大幅に省略できる。また、バーコードリーダ１０側では、調整用パターンの読取結果に応じて内部調整を行う「調整手段」が設けられているため、機種に適した調整パターンに基づいて内部調整がより適切に行われることとなる。さらに、調整用端末２が、機種情報に対応した検査用の情報コードをモニタ３に表示させる構成となっており、内部調整後の検査を機種に対応した識別コードに基づいて良好に行うことができる。
【００５０】
また、本実施形態では、調整用パターンが、黒色パターンと白色パターンとが交互に並んでなり、白色パターンを読み取ることで得られる信号レベルと、黒色パターンを読み取ることで得られる信号レベルと、に基づいて内部調整が行われるようになっている。従って、調整時の黒色部分の読取結果と白色部分の読取結果とを反映して、現況に応じた適切な内部調整が可能となる。
【００５１】
また、内部調整がなされた後、バーコードリーダ１０から調整用端末２に対し、検査用の情報コードを要求する要求信号が送信され、調整用端末２は、要求信号の受信に応じて検査用の情報コードを表示する構成とされている。この構成によれば、内部調整終了後、複雑な作業を伴うことなく迅速かつスムーズに検査に移行でき、調整作業の迅速化、省力化を一層図ることができる。
【００５２】
また、検査用の情報コードの読み取りが成功と判断された場合に外部への報知がなされるため、作業者が読み取りの成否を簡単に確認できる。さらに、検査用の情報コードの読み取りが成功と判断された場合、バーコードリーダ１０から調整用端末２に通知がなされ、調整用端末２側では、その通知に応じて表示終了処理が行われる。従って、検査が成功した場合の終了処理が複雑な作業を要することなく迅速かつスムーズに行われ、作業者は検査後の他作業に即座に移行できることとなる。
【００５３】
また、検査用の情報コードの読み取りが失敗と判断された場合に失敗回数をカウントし、その失敗回数のカウントが一定回数に達していない場合、バーコードリーダ１０から調整用端末２に対して調整用パターンの再表示を要求し、他方の調整用端末２は、要求に応じて調整用パターンを再表示する構成とされている。この構成によれば、検査用の情報コードの読み取りが失敗となった場合に、複雑な作業を伴うことなく再度の内部調整を迅速かつスムーズに行うことができる。また、調整用端末２では、調整用パターンの再表示後に検査用の情報コードの再表示がなされ、バーコードリーダ１０は、再表示された調整用パターンに基づいて内部調整を再度行った後、再表示された検査用の情報コードを読み取って再診断を行う構成とされている。従って、再度の内部調整がなされた後、その検査も迅速かつスムーズに行われる。このように、失敗に対する対処を迅速かつ適切に行い得る優れたシステムとなる。
【００５４】
また、検査用の情報コードの読み取りが失敗と判断された場合に失敗回数がカウントされ、そのカウントが一定回数に達した場合に外部への報知がなされるため、作業者が読み取りの失敗を簡単に確認できるようになる。また、失敗回数のカウントが一定回数に達した場合にはバーコードリーダ１０から調整用端末２に通知がなされ、調整用端末２側では、その通知に応じて表示終了処理が行われる。このように、検査が一定回数失敗した場合に迅速かつスムーズに終了処理がなされるため、失敗が延々と繰り返されることがなく、作業者は原因追及等の他作業に即座に移行できる。
【００５５】
［他の実施形態]
本発明は上記記述及び図面によって説明した実施形態に限定されるものではなく、例えば次のような実施形態も本発明の技術的範囲に含まれる。
【００５６】
上記実施形態では、図１に示すような調整用端末２を例示したが、調整用端末２の構成はこれ以外であってもよい。例えば、図７に示すように、調整用端末２にバーコードリーダ１０を載置する置台１０１を設け、この置台１０１にバーコードリーダ１０を載置した状態で、その載置されたバーコードリーダ１０によってモニタ３に表示される調整用パターンや検査用の情報コードが読み取られるような構成であってもよい。この構成によれば、作業者がバーコードリーダ１０を把持せずとも内部調整、検査が可能となる。なお、図７の調整用端末２は、置台１０１が設けられている点及び外観構成が第１実施形態と異なるが、それ以外は第１実施形態と同様であり、図３のようなハードウェア構成を有し、図６のような処理を実行可能とされている。
【００５７】
また、図８のような調整用端末であってもよい。図８の調整用端末２は、第１実施形態と同様のハードウェア構成（図３のようなハードウェア構成）を有し、図６のような処理を実行可能とされており、さらに、ＰＯＳレジスターとして機能する構成をなしている。即ち、第１実施形態の調整用端末に、ＰＯＳレジスターとして機能を加えた構成となっている。この構成によれば、ＰＯＳレジスターを利用してバーコードリーダ１０の内部調整、検査を行うことができる。
【００５８】
上記実施形態では、バーコードリーダ１０と調整用端末２とが無線通信可能な構成を例示したが、これらが有線通信可能な構成とされていてもよい。
【００５９】
上記実施形態では、各白色パターンに対応した信号レベルの平均値Ｌｈと、各黒色パターンに対応した信号レベルの平均値Ｌｂとの偏差（Ｌｂ−Ｌｈ）を求め、増幅回路３１の増幅率を、偏差（Ｌｂ−Ｌｈ）に基づいて設定する一例を示したが、内部調整の方法はこれに限定されない。例えば、偏差（Ｌｂ−Ｌｈ）に基づいて増幅率が定まるテーブルや演算式を用い、調整用パターンに基づいて偏差（Ｌｂ−Ｌｈ）を算出した後、そのようなテーブルや演算式によって増幅率を決定するようにしてもよい。また、内部調整の例として増幅回路の増幅率を設定する例を示したが、増幅率以外を調整してもよい。例えば、調整用パターンの読取結果に基づいて照明光源２１の出力レベルを調整するような構成であってもよい。
【図面の簡単な説明】
【００６０】
【図１】図１は、本発明の第１実施形態に係る調整システムを概略的に例示する概略図である。
【図２】図２は、図１の調整システムに用いる光学的情報読取装置の電気的構成を例示するブロック図である。
【図３】図３は、図1の調整システムに用いる調整用端末の電気的構成を例示するブロック図である。
【図４】図４は、表示器に表示された調整用パターンを光学的情報読取装置によって読み取る様子を説明する説明図である。
【図５】図５は、表示器に表示された検査用の識別コードを光学的情報読取装置によって読み取る様子を説明する説明図である。
【図６】図６は、光学的情報読取装置の調整及び検査の流れを例示するフローチャートである。
【図７】本発明の調整システムに関し、図１の例とは異なる別例１を示す説明図。
【図８】本発明の調整システムに関し、図１、図７の例とは異なる別例２を示す説明図。
【符号の説明】
【００６１】
１…調整システム
２…調整用端末
３…モニタ（表示器）
４…ＣＰＵ（機種情報取得手段、パターン表示制御手段、コード表示制御手段、受信手段、成功後終了手段、失敗後終了手段）
１０…バーコードリーダ（光学的情報読取装置）
２８…受光センサ（読取手段）
４０…制御回路（読取手段、調整手段、判断手段、要求信号送信手段、成功報知手段、成功後通知手段、カウント手段、再表示要求手段、失敗報知手段、失敗後通知手段）
４４…ブザー（成功報知手段、失敗報知手段）
４５…ＬＥＤ（成功報知手段、失敗報知手段）
【図１】
2009025880.tif 000003
【図２】
2009025880.tif 000004
【図３】
2009025880.tif 000005
【図４】
2009025880.tif 000006
【図５】
2009025880.tif 000007
【図６】
2009025880.tif 000008
【図７】
2009025880.tif 000009
【図８】
2009025880.tif 000010